(57)【要約】【課題】ポータブルでモジュールタイプの抗菌、除湿および空気浄化の空調システムを提供する。【解決手段】本抗菌除湿空調システムは、本体１、少なくとも一つの電池モジュール２および水タンク３を含み、本体１には台座１０、キャビネット１１、圧縮機１２、放熱モジュール１３、クーリングモジュール１４および制御システム１５が設置され、圧縮機１２、放熱モジュール１３、クーリングモジュール１４および制御システム１５は台座１０の上方に設置され、台座１０には、下方に電気連結端が設けられた給電モジュール１００が設置され、キャビネット１１の前方には送風口１１０が設置され、キャビネット１１にはコントロールパネル１１１が設置され、制御システム１５はコントロールパネル１１１の内側の対応する位置に設置され、キャビネット１１の後方には放熱口が設置されている。【選択図】図２
0003231289.tif 000002
【実用新案登録請求の範囲】
【請求項１】
本体と、
少なくとも一つの電池モジュールと、
水タンクと、
を含むモジュール化された抗菌除湿空調システムであって、
前記本体には、台座、キャビネット、圧縮機、放熱モジュール、クーリングモジュールおよび制御システムが設置され、
前記圧縮機、前記放熱モジュール、前記クーリングモジュールおよび前記制御システムは前記台座の上方に設置され、前記台座には、下方に電気連結端が設けられた給電モジュールが設置され、前記キャビネットの前方には送風口が設置され、前記キャビネットにはコントロールパネルが設置され、前記制御システムは前記コントロールパネルの内側の対応する位置に設置され、前記キャビネットの後方には放熱口が設置され、
前記放熱モジュールには、高圧管、コンデンサおよびコンデンサ用の空気取入通路が設置され、前記高圧管は前記圧縮機の高圧冷媒出口と前記コンデンサとの間に設置され、前記コンデンサの後方にはファンコンデンサが設置され、かつ前記ファンコンデンサは前記キャビネットの前記放熱口に対応する位置に設置され、前記コンデンサ用の空気取入通路は前記放熱モジュールの側方に設置され、
前記クーリングモジュールには低圧管、蒸発装置、冷却風道および冷却用の空気取入通路が設置され、前記低圧管は、前記圧縮機の低圧冷媒出口と前記蒸発装置との間に設置され、前記蒸発装置の一方と前記冷却風道とが接続しており、前記蒸発装置の他方と前記冷却用の空気取入通路とが接続しており、前記冷却風道には送風装置が設置され、前記送風装置は前記キャビネットの前記送風口の内側の対応する位置に設置され、
少なくとも一つの前記電池モジュールは前記本体の前記台座の下方に設置され、前記電池モジュールには双方向電気連結端が設置され、前記双方向電気連結端の上端は、前記台座の前記電気連結端の下方に対応するように設置され、前記双方向電気連結端の上端は、前記電池モジュールの上方に位置して前記台座の前記電気連結端と接続し、かつ前記双方向電気連結端の下端は、前記電池モジュールの下方に位置して別の前記電池モジュールの前記双方向電気連結端の上端と接続し、前記電池モジュールには排水通路が設置され、前記排水通路は前記本体の前記クーリングモジュールの前記蒸発装置の下方に設置され、
前記水タンクは前記電池モジュールの下方に設置され、前記水タンクには給水口が設置され、前記給水口は前記蒸発装置の凝縮水を集めるように前記電池モジュールの前記排水通路の下方に設置されている、
ことを特徴とする抗菌除湿空調システム。
【請求項２】
前記コントロールパネルはタッチパネルである、
ことを特徴とする請求項１に記載の抗菌除湿空調システム。
【請求項３】
前記キャビネットの上方に持ち手が設置されている、
ことを特徴とする請求項１に記載の抗菌除湿空調システム。
【請求項４】
前記キャビネットに充電口が設置されている、
ことを特徴とする請求項１に記載の抗菌除湿空調システム。
【請求項５】
前記コンデンサ用の空気取入通路に、ほこり又は綿糸が前記放熱モジュールに入ることを防ぐフィルターが設置されている、
ことを特徴とする請求項１に記載の抗菌除湿空調システム。
【請求項６】
前記送風装置に、風向を自動的に制御する電動吹き出しモジュールが設置されている、
ことを特徴とする請求項１に記載の抗菌除湿空調システム。
【請求項７】
前記冷却用の空気取入通路には、ほこり又は綿糸が前記クーリングモジュールに入り込むことを防ぎ、前記冷却用の空気取入通路内の空気を滅菌消毒する、光触媒用のＵＶランプおよび光触媒フィルターが設置されている、
ことを特徴とする請求項１に記載の抗菌除湿空調システム。
【請求項８】
前記本体、前記電池モジュールおよび前記水タンクの接続箇所にはシャックルユニットが設置され、
前記シャックルユニットは、
前記本体、前記電池モジュールおよび前記水タンクを積み重ねて突合せることに用いられる複数個の位置決め部品と、
前記本体、前記電池モジュールおよび前記水タンクを合わせて固定する複数個のシャックル部品と、を含む、
ことを特徴とする請求項１に記載の抗菌除湿空調システム。
【考案の詳細な説明】
【技術分野】
【０００１】
本考案は抗菌除湿空調システムに関し、特に小型でポータブル、かつ独立した圧縮機クーリング系統を備え、また電池部分が分離可能、又は重ね合わせて使用するモジュールタイプの抗菌除湿空調システムに関する。
【背景技術】
【０００２】
大気汚染が年々悪化し、かつ地球温暖化及び台湾の海島型気候に影響され、湿度と熱が合わさった湿熱の天気が続いている。固定式エアコンを設置できない場所、例えば開放式事務室、バルコニー、貯蔵室、テント又はログキャビン等の場所に、空調設備がないと長時間過ごすことができない。また、空気の質が悪くなると、呼吸器の病気にかかりやすくなる。更に、たんすや靴箱は高温多湿になりやすく、服にカビが生えることになる。
現在、多種多様な家電製品、例えば除湿機、空気清浄機、水冷式扇風機、冷却モジュールクーラー等が販売されているので、上述の問題が解決される。しかし、同時に多種多様な設備を購入すると室内空間が狭くなり、かつ移動するのも大変である。この上に水冷式扇風機を使うと湿気が発生しやすいため、台湾に適せず、反って環境問題をもたらす可能性がある。冷却モジュールクーラーの冷却効率は非常に悪く、また壊れやすいので、理想的な携帯用空調装置は、未だ実現されていない。
【考案の概要】
【考案が解決しようとする課題】
【０００３】
本件考案は、上記の問題に対して、本考案者が長年の電気設備関連研究と研究開発の経験に基づき考案したものである。
本考案の目的は、ポータブルでモジュールタイプの抗菌、除湿および空気浄化の空調システムを提供することである。本考案は、マイクロ圧縮機モジュール、光触媒、紫外線殺菌装置と革新的なモジュールタイプの電池および水タンク積み重ね構造設計を利用して、空調、除湿および空気浄化等の多種類の機能を一つの小型機器に搭載（１２インチのノートパソコンより小さい）する。持ち運びに便利であって、かつ電源がない場所においても正常に使用できるので、従来の携帯式小型家電が有していた機能不足や電気拡張制限の問題が解決される。また事務室、家庭生活又は屋外アクティビティの質も良くなる。
【課題を解決するための手段】
【０００４】
本考案の抗菌除湿空調システムは、本体と、少なくとも一つの電池モジュールと、水タンクと、を含む。
前記本体には台座、キャビネット、圧縮機、放熱モジュール、クーリングモジュールおよび制御システムが設置されている。
前記圧縮機、前記放熱モジュール、前記クーリングモジュールおよび前記制御システムは前記台座の上方に設置されている。前記台座には、下方に電気連結端が設けられた給電モジュールが設置されている。前記キャビネットの前方には送風口が設置され、前記キャビネットにはコントロールパネルが設置され、前記制御システムは前記コントロールパネルの内側の対応する位置に設置され、前記キャビネットの後方には放熱口が設置されている。
前記放熱モジュールには、高圧管、コンデンサおよびコンデンサ用の空気取入通路が設置されている。前記高圧管は前記圧縮機の高圧冷媒出口と前記コンデンサとの間に設置されている。前記コンデンサの後方にはファンコンデンサが設置され、かつ前記ファンコンデンサは前記キャビネットの前記放熱口に対応する位置に設置されている。前記コンデンサ用の空気取入通路は前記放熱モジュールの側方に設置されている。
前記クーリングモジュールには低圧管、蒸発装置、冷却風道および冷却用の空気取入通路が設置されている。前記低圧管は、前記圧縮機の低圧冷媒出口と前記蒸発装置との間に設置されている。前記蒸発装置の一方と前記冷却風道とが接続し、前記蒸発装置の他方と前記冷却用の空気取入通路とが接続している。前記冷却風道には送風装置が設置され、前記送風装置は前記キャビネットの前記送風口の内側の対応する位置に設置されている。
少なくとも一つの前記電池モジュールは前記本体の前記台座の下方に設置され、前記電池モジュールには双方向電気連結端が設置されている。前記双方向電気連結端の上端は、前記台座の前記電気連結端の下方に対応するように設置され、前記双方向電気連結端の上端は、前記電池モジュールの上方に位置して前記台座の前記電気連結端と接続する。かつ前記双方向電気連結端の下端は前記電池モジュールの下方に位置して別の前記電池モジュールの前記双方向電気連結端の上端と接続する。前記電池モジュールには排水通路が設置され、前記排水通路は前記本体の前記クーリングモジュールの前記蒸発装置の下方に設置されている。
前記水タンクは前記電池モジュールの下方に設置され、前記水タンクには給水口が設置されている。前記給水口は前記蒸発装置の凝縮水を集めるように前記電池モジュールの前記排水通路の下方に設置されている。
【０００５】
好ましくは、前記本体、前記電池モジュールおよび前記水タンクの接続箇所にはシャックルユニットが設置され、前記シャックルユニットは前記本体、前記電池モジュールおよび前記水タンクを積み重ねて突合せることに用いられる複数個の位置決め部品と、前記本体、前記電池モジュールおよび前記水タンクを合わせて固定する複数個のシャックル部品と、を含む。
【図面の簡単な説明】
【０００６】
【図１】本考案の斜視図である。
【図２】図１の分解斜視図である。
【図３】本考案を別の角度から見た斜視図である。
【図４】図３の分解斜視図である。
【図５】本考案の側面図である。
【図６】図５におけるＡ−Ａ断面図である。
【図７】図６におけるＡ部分の部分拡大図である。
【図８】図６におけるＢ部分の部分拡大図である。
【図９】図５におけるＢ−Ｂ断面図である。
【図１０】図９におけるシャックルユニットのシャックル部品を開放した状態を示す模式図である。
【図１１】図５におけるＣ−Ｃ断面図である。
【図１２】本考案の第一組立模式図である。
【図１３】本考案の第二組立模式図である。
【図１４】本考案の第三組立模式図である。
【考案を実施するための形態】
【０００７】
以下に、本願考案をより良く理解できるように、図を用いて説明する。最良の抗菌除湿空調システムは、図１〜図１４に示すように、少なくとも一つの本体１、少なくとも一つの電池モジュール２および水タンク３を含む。
【０００８】
本体１には、台座１０、キャビネット１１、圧縮機１２、放熱モジュール１３、クーリングモジュール１４および制御システム１５が設置されている。圧縮機１２、放熱モジュール１３、クーリングモジュール１４および制御システム１５は台座１０の上方に設置され、キャビネット１１によって一体構造になっている。
【０００９】
台座１０には給電モジュール１００が設置され、また給電モジュール１００の下方には電気連結端１０１が設置されている。電気連結端１０１と電池モジュール２とが接続することによって、本体１に給電される。
【００１０】
キャビネット１１の前方には送風口１１０が設置され、またキャビネット１１にはコントロールパネル１１１が設置されている。制御システム１５はコントロールパネル１１１の内側の対応する位置に設置され、使用者はコントロールパネル１１１を通して本体１を操作する。
コントロールパネル１１１は、ニーズによってタッチパネル（図参照）又はキーパネルを使うことができる。キャビネット１１の後方に放熱口１１２が設置されることによって、放熱モジュール１３から放熱される。使用者が本体１を片手で持ち上げるため、又は持ち運ぶために、キャビネット１１の上方に持ち手１１３が設置されている。抗菌除湿空調システムをモバイルバッテリーとして使うために、キャビネット１１に充電口１１４が設置されている。
【００１１】
放熱モジュール１３には高圧管１３０、コンデンサ１３１およびコンデンサ用の空気取入通路１３２が設置されている。高圧管１３０は圧縮機１２の高圧冷媒出口とコンデンサ１３１との間に設置されている。
コンデンサ１３１の後方にはファンコンデンサ１３１０が設置されている。かつ、ファンコンデンサ１３１０がキャビネット１１の放熱口１１２に対応する位置に設置されることによって、放熱モジュール１３が本体１内の熱気を速やかに排出する。コンデンサ用の空気取入通路１３２は放熱モジュール１３の側方に設置されている。ほこりや綿糸が放熱モジュール１３の中に入り込むことを防ぐために、コンデンサ用の空気取入通路１３２にフィルター１３２０が設置されている。
【００１２】
クーリングモジュール１４には、低圧管１４０、蒸発装置１４１、冷却風道１４２および冷却用の空気取入通路１４３が設置されている。低圧管１４０は圧縮機１２の低圧冷媒出口と蒸発装置１４１との間に設置されている。
蒸発装置１４１の一方は冷却風道１４２と接続し、蒸発装置１４１の他方は冷却用の空気取入通路１４３と接続している。冷却風道１４２には送風装置１４２０が設置され、送風装置１４２０はキャビネット１１の送風口１１０の内側の対応する位置に設置されることによって、冷風の風速と風向を制御する。
送風装置１４２０に電動吹き出しモジュール１４２１が設置されることによって、風向が自動的に制御される。冷却用の空気取入通路１４３に光触媒用のＵＶランプ１４３０及び光触媒フィルター１４３１が設置されることによって、ほこりや綿糸がクーリングモジュール１４内に入り込むことを防ぐ。また、冷却用の空気取入通路１４３内に入り込んだ空気を殺菌消毒することによって、使用者に、よりクリーンかつ安全な空気を提供する。
【００１３】
電池モジュール２は本体１の台座１０の下方に設置されている。また、電池モジュール２には双方向電気連結端２０が設置されている。双方向電気連結端２０の上端は台座１０の電気連結端１０１の下方に対応するように設置されている。また、双方向電気連結端２０の上端は、電池モジュール２の上方に位置することによって、台座１０の電気連結端１０１と接続する。かつ双方向電気連結端２０の下端は電池モジュール２の下方に位置することによって、別の電池モジュール２の双方向電気連結端２０の上端と接続する。即ち複数個の電池モジュール２を直列に接続することによって、使用可能時間を延長する。電池モジュール２には排水通路２１が設置されている。排水通路２１は本体１のクーリングモジュール１４の蒸発装置１４１の下方に設置されていることによって、水タンク３に蒸発装置１４１の凝縮水を引き込む。
【００１４】
水タンク３は電池モジュール２の下方に設置されている。また、水タンク３に給水口３０が設置され、給水口３０が排水通路２１の下方に設置されることによって、蒸発装置１４１の凝縮水を集める。
【００１５】
本体１、電池モジュール２および水タンク３の連結箇所にはシャックルユニット４が設置されている。シャックルユニット４は、複数個の位置決め部品４０と複数個のシャックル部品４１を含む。それによって、複数個の位置決め部品４０を利用して、使用者が正確に本体１、電池モジュール２および水タンク３を積み重ね、突合せることが容易になる。更に、シャックル部品４１を通して、本体１、電池モジュール２および水タンク３を閉合・固定することによって、電池モジュール２を無限に拡張することができる。かつ、全体的な美感に影響を与えず、また持ち運びに便利である。
【００１６】
図１２及び１３に示すように、使用者が本考案の抗菌除湿空調システムを使うとき、順序に従って、本体１の下方に少なくとも一セットの電池モジュール２を設置し、更に電池モジュール２の下方に水タンク３を設置する。また、図１４に示すように、使用者が少なくとも一セットの電池モジュール２と水タンク３を事前に一体に組み立ててから、本体１を上方に設置する。
【００１７】
よって、本考案の抗菌除湿空調システムは、モジュールタイプの本体１、電池モジュール２および水タンク３の革新的な設計を利用し、消費者に斬新なポータブルでモジュールタイプの抗菌、除湿および空気浄化の空調システムを提供する。空調、除湿（例えば、たんす、電気設備箱等の狭い空間に最適）、空気浄化等の多種類の機能を一つの小型ポータブル機器に搭載し、持ち運びに便利であって、かつ電源線の有無に拘らず、正常に使用することができる。更に、大型モバイルバッテリーとして、屋外電子機器、停電又は道路における緊急救助に使うことができ、従来の携帯式小型家電が有していた問題が解決される。また、事務室、家庭生活又は屋外アクティビティの質も良くなり、実用性の高い抗菌除湿空調システムである。
【００１８】
本考案の態様又は使用方式は、以上に述べた実施例に限定されるものではない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００１９】
１        本体、
１０      台座、
１００    給電モジュール、
１０１    電気連結端、
１１      キャビネット、
１１０    送風口、
１１１    コントロールパネル、
１１２    放熱口、
１１３    持ち手、
１１４    充電口、
１２      圧縮機、
１３      放熱モジュール、
１３０    高圧管、
１３１    コンデンサ、
１３１０  ファンコンデンサ、
１３２    コンデンサ用の空気取入通路、
１３２０  フィルター、
１４      クーリングモジュール、
１４０    低圧管、
１４１    蒸発装置、
１４２    冷却風道、
１４２０  送風装置、
１４２１  電動吹き出しモジュール、
１４３    冷却用の空気取入通路、
１４３０  光触媒用のＵＶランプ、
１４３１  光触媒フィルター、
１５      制御システム、
２        電池モジュール、
２０      双方向電気連結端、
２１      排水通路、
３        水タンク、
３０      給水口、
４        シャックルユニット、
４０      位置決め部品、
４１      シャックル部品。
【図１】
0003231289.tif 000003
【図２】
0003231289.tif 000004
【図３】
0003231289.tif 000005
【図４】
0003231289.tif 000006
【図５】
0003231289.tif 000007
【図６】
0003231289.tif 000008
【図７】
0003231289.tif 000009
【図８】
0003231289.tif 000010
【図９】
0003231289.tif 000011
【図１０】
0003231289.tif 000012
【図１１】
0003231289.tif 000013
【図１２】
0003231289.tif 000014
【図１３】
0003231289.tif 000015
【図１４】
0003231289.tif 000016